(57)【要約】【課題】  双方向のアルキメデス螺旋形状で配布される低いインダクタンスの電気抵抗装置を提供する。【解決手段】  絶縁キャリア１０１は、軟性、撓み性又は硬性絶縁材料で構成される絶縁膜、ボードの形状又はその他構造形態として、その上に電気抵抗体１０２を設置可能である。電気抵抗体１０２は、電気抵抗性質がある材料で構成される塗布層、薄膜形状、セラミック式又は金属材料の巻上げ式の電気抵抗であり、四方形、円、三角形又はその他の幾何形状の双方向のアルキメデス螺旋形状の経路で絶縁キャリア１０１の表面に設けられている。電気抵抗体の経路の中に中間反対方向のリターンポイント１０３があり、電気抵抗体経路のスタートポイント１０４と電気抵抗体経路のエンドポイント１０５をインダクタンスの電気抵抗装置が外部と連接するインターフェースとする。【選択図】    図１
2005277324.tif 000002
【特許請求の範囲】
【請求項１】
双方向のアルキメデス螺旋形状で配布される低いインダクタンスの電気抵抗装置に関し、単層又は多層の相互に逆螺旋形状で配布される電気抵抗体であり、塗布層、薄膜形状、セラミック式又は金属材料の巻上げ式の電気抵抗材料で双方向のアルキメデス螺旋形状に配布され、又は、逆方向に曲がって配布され、必要によって単層又は多層の構造で磁力ラインを相互に相殺させ、抵抗器のインダクタンスを低下させることで、高い周波数の電気回路の需要者に提供可能であり、電気抵抗体が塗布層、薄膜形状、セラミック式又は金属材料の巻上げ式の電気抵抗材料（一般の電気抵抗性材料、正温度係数（ＰＴＣ）の電気抵抗材料又は負温度係数（ＮＴＣ）の電気抵抗材料を含む）によって、双方向のアルキメデス螺旋形状で配布される低いインダクタンスの電気抵抗装置を曲がって配布し、又、必要によって単層又は多層の構造で磁力ラインを相互に相殺させ、大幅に抵抗器のインダクタンスを低下させ、
絶縁キャリア（１０１）は、軟性、撓み性又は硬性絶縁材料で構成される絶縁膜、ボードの形状又はその他構造形態として、その上に双方向のアルキメデス螺旋形状で配布される電気抵抗体（１０２）を設置可能であり、
双方向のアルキメデス螺旋形状で配布される電気抵抗体（１０２）は、電気抵抗性質がある材料で構成される塗布層、薄膜形状、セラミック式又は金属材料の巻上げ式の電気抵抗であり、四方形、円、三角形又はその他の幾何形状の双方向のアルキメデス螺旋形状の経路で絶縁キャリア（１０１）の表面に設けられ、電気抵抗体の経路の中に中間反対方向のリターンポイント（１０３）があり、電気抵抗体経路のスタートポイント（１０４）と電気抵抗体経路のエンドポイント（１０５）を双方向のアルキメデス螺旋形状で配布される低いインダクタンスの電気抵抗装置が外部と連接するインターフェースとし、
双方向のアルキメデス螺旋形状で配布される電気抵抗体によって、磁力ラインを相互に相殺させ、抵抗器のインダクタンスを低下させることを特徴とするインダクタンスの電気抵抗装置。
【請求項２】
多層の構造（２層、３層又は３層以上の多層構造を含む）で構成され、２層（偶数）のパケット構造は、
絶縁キャリア（１０１）及び絶縁キャリア（２０１）は、軟性、撓み性又は硬性絶縁材料で構成される絶縁膜、ボードの形状又はその他構造形態として、その上に双方向のアルキメデス螺旋形状で配布される電気抵抗体（１０２）及び電気抵抗体（２０２）を設置可能であり、
双方向のアルキメデス螺旋形状で配布される電気抵抗体（１０２）及び電気抵抗体（２０２）は、電気抵抗性質がある材料で構成される塗布層、薄膜形状、セラミック式又は金属材料の巻上げ式の電気抵抗であり、四方形、円、三角形又はその他の幾何形状の双方向のアルキメデス螺旋形状の経路で絶縁キャリア（１０１）及び絶縁キャリア（２０１）の表面に設けられ、双方向のアルキメデス螺旋形状で配布される第一層の電気抵抗体（１０２）の電気抵抗体経路のスタートポイント（１０４）が双方向のアルキメデス螺旋形状で配布される第二層の電気抵抗体（２０２）の電気抵抗体経路のスタートポイント（２０４）と接続して導通され、電気抵抗体の経路の中の第一層の電気抵抗体に中間反対方向のリターンポイント（１０３）があり、第二層の電気抵抗体に中間反対方向のリターンポイント（２０３）があり、第一層の電気抵抗体経路のエンドポイント（１０５）及び第二層の電気抵抗体経路のエンドポイント（２０５）で外部と連接するインターフェースを構成していることを特徴とする請求項１記載のインダクタンスの電気抵抗装置。
【請求項３】
３層（奇数）のパケット構造は、
絶縁キャリア（１０１）、絶縁キャリア（２０１）及び絶縁キャリア（３０１）は、軟性、撓み性又は硬性絶縁材料で構成される絶縁膜、ボードの形状又はその他構造形態として、その上に双方向のアルキメデス螺旋形状で配布される電気抵抗体（１０２）、電気抵抗体（２０２）又は電気抵抗体（３０２）を設置可能であり、
双方向のアルキメデス螺旋形状で配布される電気抵抗体（１０２）、電気抵抗体（２０２）及び電気抵抗体（３０２）は、電気抵抗性質がある材料で構成される塗布層、薄膜形状、セラミック式又は金属材料の巻上げ式の電気抵抗であり、四方形、円、三角形又はその他の幾何形状の双方向のアルキメデス螺旋形状の経路で絶縁キャリア（１０１）、絶縁キャリア（２０１）又は絶縁キャリア（３０１）の表面に設けられ、第一層の双方向のアルキメデス螺旋形状で配布される電気抵抗体（１０２）の電気抵抗体経路のスタートポイント（１０４）が第二層の双方向のアルキメデス螺旋形状で配布される電気抵抗体（２０２）の電気抵抗体経路のスタートポイント（２０４）と接続して導通され、第二層の双方向のアルキメデス螺旋形状で配布される電気抵抗体（２０２）の電気抵抗体の経路のエンドポイント（２０５）が第三層の双方向のアルキメデス螺旋形状で配布される電気抵抗体（３０２）の電気抵抗体の経路のエンドポイント（３０５）と連接して導通され、電気抵抗体の経路の中の第一層の電気抵抗体に中間反対方向のリターンポイント（１０３）があり、第二層の電気抵抗体に中間反対方向のリターンポイント（２０３）があり、第三層の電気抵抗体に中間反対方向のリターンポイント（３０３）があり、第一層の双方向のアルキメデス螺旋形状で配布される電気抵抗体（１０２）の電気抵抗体経路のエンドポイント（１０５）及び第三層の双方向のアルキメデス螺旋形状で配布される電気抵抗体（３０２）の電気抵抗体経路のスタートポイント（３０４）で外部と連接するインターフェースを構成していることを特徴とする請求項１記載のインダクタンスの電気抵抗装置。
【請求項４】
多層式の構造の中で、多層の双方向のアルキメデス螺旋形状の経路で配布される電気抵抗の間の関係は、各層の双方向のアルキメデス螺旋形状の経路で配布される電気抵抗の畳んで積む位置が同一形状又は異なる形状、同一サイズ又は異なるサイズ、同一形状及び同一サイズで完全に同一位置に重ねることを呈する同一位相で配布する関係、又は、同一形状及び同一サイズで完全に同一位置に重ねることを呈する逆位相で配布する関係であることを特徴とする請求項１記載のインダクタンスの電気抵抗装置。
【請求項５】
各層の双方向のアルキメデス螺旋形状の経路で配布される電気抵抗の間の関係は、多層パケットの双方向のアルキメデス螺旋形状の経路で配布される電気抵抗が絶縁キャリアの両面に設けられ、又は、多層の絶縁キャリアでそれぞれ双方向のアルキメデス螺旋形状で配布される電気抵抗体を配布してから、パケット構造を畳んで積み、通風冷却のため、各パケットとパケットとの間に予め隙間を残すことが可能であり、又、隙間無しの密接又はパッケージ構造を使っても良く、選択可能であることを特徴とする請求項１記載のインダクタンスの電気抵抗装置。
【請求項６】
単面、単一カーブ及び単層で配布可能であり、絶縁キャリア（１０１）及び塗布層、薄膜形状、セラミック式又は金属材料の巻上げ式の電気抵抗材料で構成される電気抵抗体及び連接インターフェースで構成され、
電気抵抗体（１０２）がＵ形状で絶縁キャリアの単一の辺に設けられ、２本の長方形を呈する電気抵抗体はＵ形状のカーブをリターンポイント（１０３）として、２本の長方形の電気抵抗体を緊密に接近させることで、磁力ラインを相互に相殺させ、インダクタンスを低下させ、又、２本の長方形の電気抵抗体の連接ピン（１０４０）及び連接ピン（１０５０）を外部と連接するインターフェースとすることを特徴とする請求項１記載のインダクタンスの電気抵抗装置。
【請求項７】
単層、単一カーブ及び両面で配布可能であり、絶縁キャリア（１０１）及び塗布層、薄膜形状、セラミック式又は金属材料の巻上げ式の電気抵抗材料で構成される電気抵抗体及び連接インターフェースで構成され、
電気抵抗体（１０２）がＵ形状で単層絶縁キャリア（１０１）の両面に設けられ、リターンポイント（１０３）は絶縁キャリアの両面の電気抵抗体と同一側の端の直列の連接ポイントにあり、又、２本の電気抵抗体の連接ピン（１０４０）及び連接ピン（１０５０）を外部と連接するインターフェースとすることを特徴とする請求項１記載のインダクタンスの電気抵抗装置。
【請求項８】
多層構造及びマルチカーブで配布可能であり、多層の絶縁キャリア及び塗布層、薄膜形状、セラミック式又は金属材料の巻上げ式の電気抵抗材料で構成される電気抵抗体及び連接インターフェースで構成され、その特徴は、第一層電気抵抗体（１０２）がＵ形状で絶縁キャリア（１０１）の両辺に設けられ、リターンポイント（１０３）は絶縁キャリア（１０１）の両面の電気抵抗体（１０２）と同一側の端の直列の連接ポイントにあり、又、第二層電気抵抗体（２０２）はＵ形状で絶縁キャリア（２０１）の両辺に配布され、リターンポイント（２０３）は絶縁キャリア（２０１）の両面の電気抵抗体（２０２）と同一側の端の直列の連接ポイントにあり、多層構造の中の各層に畳んだ電気抵抗体の間に絶縁体（１０６）が設けられているので、畳んだ場合、隣接する電気抵抗体の連接ピン（１０５０）と連接ピン（２０４０）とは直列の接続を呈し、その外側の電気抵抗体の連接ピン（１０４０）及び連接ピン（２０５０）を外部と連接するインターフェースとすることを特徴とする請求項１記載のインダクタンスの電気抵抗装置。
【請求項９】
電気抵抗体の両面に撓み性の絶縁キャリアがあるため、巻上げ式の構造を呈することが可能であり、それは、薄いプレート又は薄膜形状を呈する撓み性電気抵抗体（１０２）の両辺に撓み性絶縁キャリア（１０１）が設けられ、又、電気抵抗体（１０２）が絶縁キャリア（１０１）の上に双方向のアルキメデス螺旋形状で配布され、核心はリターンポイント（１０３）であり、二つの外側の連接ピン（１０４０）及び連接ピン（１０５０）を外部と連接するインターフェースとすることを特徴とする請求項１記載のインダクタンスの電気抵抗装置。
【発明の詳細な説明】
【技術分野】
【０００１】
本発明は、双方向のアルキメデス螺旋形状で配布される低いインダクタンスの電気抵抗装置の設計に関するものである。それは、高周波数電気回路の低いインダクタンスに応用でき、それを平面化又はパケット化させることで、各種の高周波数の電気回路に応用できるものである。
【背景技術】
【０００２】
従来の低いインダクタンスの電気抵抗を作る方法は、絶縁材料で円筒形状の核心又はその他の筒形状の核心を構成している。又、その上に電気抵抗材料を双方向に逆に巻上げる方法で構成され、その欠点は（１）大きい空間を占める、（２）薄膜化で等成又は積成電気回路を作ることができないことである。
【発明の開示】
【発明が解決しようとする課題】
【０００３】
本発明の主要な目的は、双方向のアルキメデス螺旋形状で配布される低いインダクタンスの電気抵抗装置を提供することである。それは、塗布層、薄膜形状、セラミック式又は金属材料の巻上げ式の電気抵抗材料（一般の電気抵抗性材料、正温度係数（ＰＴＣ）の電気抵抗材料又は負温度係数（ＮＴＣ）の電気抵抗材料を含む）によって、双方向のアルキメデス螺旋形状で配布される低いインダクタンスの電気抵抗装置を曲がって配布する。又、必要によって単層又は多層の構造で磁力ラインを相互に相殺させ、大幅に抵抗器のインダクタンスを低下させるものである。
【課題を解決するための手段】
【０００４】
本発明は、単層又は多層の相互に逆螺旋で配布される電気抵抗体に関するものである。それは、塗布層、薄膜形状、セラミック式又は金属材料の巻上げ式の電気抵抗材料で双方向のアルキメデス螺旋形状で配布され、又は、逆方向で曲がって配布され、必要によって単層又は多層の構造で磁力ラインを相互に相殺させ、抵抗器のインダクタンスを低下させることで、高い周波数の電気回路の需要者に提供できるものである。
【発明を実施するための最良の形態】
【０００５】
本発明の一実施例による双方向のアルキメデス螺旋形状で配布される低いインダクタンスの電気抵抗装置は、双方向のアルキメデス螺旋形状の配布する経路が正方形、円、三角形又はその他の幾何形状を使っても良い。
【０００６】
図１、図２及び図３で示される本実施例の主要な構成するものは、下記の通りである。
絶縁キャリア１０１：軟性、撓み性又は硬性絶縁材料で構成される絶縁膜、ボードの形状又はその他構造形態として、その上に双方向のアルキメデス螺旋形状で配布される電気抵抗体１０２を設けることができる。
【０００７】
双方向のアルキメデス螺旋形状で配布される電気抵抗体１０２：それは、電気抵抗性質がある材料で構成される塗布層、薄膜形状、セラミック式又は金属材料の巻上げ式の電気抵抗である。又、それは、四方形、円、三角形又はその他の幾何形状の双方向のアルキメデス螺旋形状の経路で絶縁キャリア１０１の表面に設けられ、電気抵抗体の経路の中に中間反対方向のリターンポイント１０３がある。電気抵抗体経路のスタートポイント１０４と電気抵抗体経路のエンドポイント１０５を、双方向のアルキメデス螺旋形状で配布される低いインダクタンスの電気抵抗装置が外部と連接するインターフェースとする。
上述の双方向のアルキメデス螺旋形状で配布される電気抵抗体によって、磁力ラインを相互に相殺させ、抵抗器のインダクタンスを低下させる。
【０００８】
双方向のアルキメデス螺旋形状で配布される低いインダクタンスの電気抵抗装置は、更に２層、３層又は３層以上の多層構造で構成されている。２層を偶数層の代表とし、３層を奇数層の代表とする。その説明は、下記の通りである。
【０００９】
図４は、図１の実施例を基礎とする２層パケット構造の実施例の模式図である。
図４の実施例は、下記の通りである。
絶縁キャリア１０１及び絶縁キャリア２０１：軟性、撓み性又は硬性絶縁材料で構成される絶縁膜、ボードの形状又はその他構造形態として、その上に双方向のアルキメデス螺旋形状で配布される電気抵抗体１０２及び電気抵抗体２０２を設けることができる。
【００１０】
双方向のアルキメデス螺旋形状で配布される電気抵抗体１０２及び電気抵抗体２０２：それは、電気抵抗性質のある材料で構成される塗布層、薄膜形状、セラミック式又は金属材料の巻上げ式の電気抵抗である。又、それは、四方形、円、三角形又はその他の幾何形状の双方向のアルキメデス螺旋形状の経路で絶縁キャリア１０１及び絶縁キャリア２０１の表面に設けられている。双方向のアルキメデス螺旋形状で配布される第一層の電気抵抗体１０２の電気抵抗体経路のスタートポイント１０４を双方向のアルキメデス螺旋形状で配布される第二層の電気抵抗体２０２の電気抵抗体経路のスタートポイント２０４と接続して導通し、電気抵抗体の経路の中の第一層の電気抵抗体に中間反対方向のリターンポイント１０３があり、第二層の電気抵抗体に中間反対方向のリターンポイント２０３がある。第一層の電気抵抗体経路のエンドポイント１０５及び第二層の電気抵抗体経路のエンドポイント２０５で外部と連接するインターフェースを構成している。
【００１１】
図５の実施例は下記の通りである。
絶縁キャリア１０１、絶縁キャリア２０１及び絶縁キャリア３０１：軟性、撓み性又は硬性絶縁材料で構成される絶縁膜、ボードの形状又はその他構造形態として、その上に双方向のアルキメデス螺旋形状で配布される電気抵抗体１０２、電気抵抗体２０２及び電気抵抗体３０２を設けることができる。
【００１２】
双方向のアルキメデス螺旋形状で配布される電気抵抗体１０２、電気抵抗体２０２及び電気抵抗体３０２：それは、電気抵抗性質がある材料で構成される塗布層、薄膜形状、セラミック式又は金属材料の巻上げ式の電気抵抗である。又、それは、四方形、円、三角形又はその他の幾何形状の双方向のアルキメデス螺旋形状の経路で絶縁キャリア１０１、絶縁キャリア２０１又は絶縁キャリア３０１の表面に設けられている。第一層の双方向のアルキメデス螺旋形状で配布される電気抵抗体１０２の電気抵抗体経路のスタートポイント１０４が、第二層の双方向のアルキメデス螺旋形状で配布される電気抵抗体２０２の電気抵抗体経路のスタートポイント２０４と接続して導通されている。第二層の双方向のアルキメデス螺旋形状で配布される電気抵抗体２０２の電気抵抗体の経路のエンドポイント２０５が、第三層の双方向のアルキメデス螺旋形状で配布される電気抵抗体３０２の電気抵抗体の経路のエンドポイント３０５と連接して導通されている。電気抵抗体の経路の中の第一層の電気抵抗体に中間反対方向のリターンポイント１０３があり、第二層の電気抵抗体に中間反対方向のリターンポイント２０３があり、第三層の電気抵抗体に中間反対方向のリターンポイント３０３がある。又、第一層の双方向のアルキメデス螺旋形状で配布される電気抵抗体１０２の電気抵抗体経路のエンドポイント１０５及び第三層の双方向のアルキメデス螺旋形状で配布される電気抵抗体３０２の電気抵抗体経路のスタートポイント３０４で外部と連接するインターフェースを構成している。
【００１３】
図４及び図５で記載に示された多層式構造の中の多層の双方向のアルキメデス螺旋形状の経路で配布される電気抵抗の間の関係は、下記のものを含む。
（１）同一形状又は異なる形状。
【００１４】
（２）同一サイズ又は異なるサイズ。
（３）同一形状、同一サイズ及び完全に同一位置に重ねることを呈する同一位相で配布される関係。図６の通りである。
【００１５】
（４）同一形状、同一サイズ及び完全に同一位置に重ねることを呈する逆位相で配布される関係。図７の通りである。
（５）同一形状、同一サイズ及び完全に同一位置に重ねることを呈する逆位相で配布される関係。図８は、本発明の電気抵抗体を９０度の電気角度の差で配布する実施例の構造関係の模式図である。その他の関係もそれによって類推することができる。
【００１６】
（６）多層パケットの双方向のアルキメデス螺旋形状の経路で配布される電気抵抗体が絶縁キャリアの両面に設けられ、又は、多層の絶縁キャリアでそれぞれ双方向のアルキメデス螺旋形状で配布される電気抵抗体を配布してから、パケット構造を畳んで積む。通風冷却のため、各パケットとパケットとの間に予め隙間を残すことができる。又、隙間無しの密接又はパッケージ構造を使っても良いので、選択可能である。
【００１７】
図９は、本発明の単面、単一カーブ及び単層で配布する実施例の模式図である。それは、絶縁キャリア１０１及び塗布層、薄膜形状、セラミック式又は金属材料の巻上げ式の電気抵抗材料で構成される電気抵抗体及び連接インターフェースで構成されている。その特徴は、電気抵抗体１０２がＵ形状で絶縁キャリアの単一の辺に設けられ、２本の長方形を呈する電気抵抗体はＵ形状のカーブをリターンポイント１０３として、又、２本の長方形の電気抵抗体を緊密に接近させることで、磁力ラインを相互に相殺させ、インダクタンスを低下させる。２本の長方形の電気抵抗体の連接ピン１０４０及び連接ピン１０５０を外部と連接するインターフェースとする。
【００１８】
図１０は、本発明の単層、単一カーブ及び両面で配布する実施例を示す模式図である。それは、絶縁キャリア１０１及び塗布層、薄膜形状、セラミック式又は金属材料の巻上げ式の電気抵抗材料で構成される電気抵抗体及び連接インターフェースで構成されている。その特徴は、電気抵抗体１０２がＵ形状で単層絶縁キャリア１０１の両面に設けられ、リターンポイント１０３は絶縁キャリアの両面の電気抵抗体と同一側の端の直列の連接ポイントにある。又、２本の電気抵抗体の連接ピン１０４０及び連接ピン１０５０を外部と連接するインターフェースとする。      
【００１９】
図１１は、本発明の多層構造及びマルチカーブで配布する実施例を示す模式図である。それは、多層の絶縁キャリア及び塗布層、薄膜形状、セラミック式又は金属材料の巻上げ式の電気抵抗材料で構成される電気抵抗体及び連接インターフェースで構成されている。その特徴は、第一層電気抵抗体１０２がＵ形状で絶縁キャリア１０１の両辺に設けられ、リターンポイント１０３は絶縁キャリア１０１の両面の電気抵抗体１０２と同一側の端の直列の連接ポイントにある。又、第二層電気抵抗体２０２はＵ形状で絶縁キャリア２０１の両辺に配布され、リターンポイント２０３は絶縁キャリア２０１の両面の電気抵抗体２０２と同一側の端の直列の連接ポイントにある。多層構造の中の各層に畳んだ電気抵抗体の間に絶縁体１０６が設けられているので、畳んだ場合、隣接する電気抵抗体の連接ピン１０５０と連接ピン２０４０とは直列の接続を呈する。その外側の電気抵抗体の連接ピン１０４０及び連接ピン２０５０を外部と連接するインターフェースとする。
【００２０】
図１２は、本発明の電気抵抗体の両面に撓み性の絶縁キャリアがあるために巻上げる式の構造を呈する実施例の模式図である。それは、薄いプレート又は薄膜形状を呈する撓み性電気抵抗体１０２の両辺に撓み性絶縁キャリア１０１が設けられ、又、電気抵抗体１０２が絶縁キャリア１０１の上に双方向のアルキメデス螺旋形状で配布され、核心はリターンポイント１０３であり、二つの外側の連接ピン１０４０及び連接ピン１０５０を外部と連接するインターフェースとする。
【００２１】
上述によって、双方向のアルキメデス螺旋形状で配布される低いインダクタンスの電気抵抗装置において、初めてアルキメデス螺旋形状の経路で電気抵抗材料を配布することで、高周波数の低いインダクタンスの電気抵抗を平面化及びパケット化させることは進歩性がある。
【図面の簡単な説明】
【００２２】
【図１】本発明の一実施例によるインダクタンスの電気抵抗装置の正方形で配布される電気抵抗体の経路の単層実施例の模式図である。
【図２】本発明の一実施例によるインダクタンスの電気抵抗装置の円で配布される電気抵抗体の経路の単層実施例の模式図である。
【図３】本発明の一実施例によるインダクタンスの電気抵抗装置の三角形経路の単層実施例の模式図である。
【図４】図１の実施例を基礎とする２層パケット構造の実施例の模式図である。
【図５】図１の実施例を基礎とする３層パケット構造の実施例の模式図である。
【図６】本発明の一実施例によるインダクタンスの電気抵抗装置の電気抵抗体が同一形状及び同一サイズで完全に同一位置に重ねることを呈する同一位相で配布される関係構造を示す模式図である。
【図７】本発明の一実施例によるインダクタンスの電気抵抗装置の電気抵抗体が同一形状及び同一サイズで完全に同一位置に重ねることを呈する逆位相で配布される関係構造を示す模式図である。
【図８】本発明によるインダクタンスの電気抵抗装置の電気抵抗体が９０度の電気角度の差で配布される実施例を示す模式図である。
【図９】本発明によるインダクタンスの電気抵抗装置の単面、単一カーブ及び単層で配布される実施例の模式図である。
【図１０】本発明によるインダクタンスの電気抵抗装置の単層、単一カーブ及び両面で配布される実施例を示す模式図である。
【図１１】本発明によるインダクタンスの電気抵抗装置の多層構造及びマルチカーブで配布される実施例を示す模式図である。
【図１２】本発明によるインダクタンスの電気抵抗装置の電気抵抗体の両面に撓み性の絶縁キャリアがあるために巻上げ式の構造を呈する実施例を示す模式図である。
【符号の説明】
【００２３】
１０１  絶縁キャリア、１０２  電気抵抗体、１０３  リターンポイント、１０４  電気抵抗体経路のスタートポイント、１０５  電気抵抗体経路のエンドポイント、１０６  絶縁体、２０１  絶縁キャリア、２０２  電気抵抗体、２０３  リターンポイント、２０４  電気抵抗体経路のスタートポイント、２０５  電気抵抗体経路のエンドポイント、３０１  絶縁キャリア、３０２  電気抵抗体、３０３  リターンポイント、３０４  電気抵抗体経路のスタートポイント、３０５  電気抵抗体経路のエンドポイント、１０４０  連接ピン、１０５０  連接ピン、２０４０  連接ピン、２０５０  連接ピン
【図１】
2005277324.tif 000003
【図２】
2005277324.tif 000004
【図３】
2005277324.tif 000005
【図４】
2005277324.tif 000006
【図５】
2005277324.tif 000007
【図６】
2005277324.tif 000008
【図７】
2005277324.tif 000009
【図８】
2005277324.tif 000010
【図９】
2005277324.tif 000011
【図１０】
2005277324.tif 000012
【図１１】
2005277324.tif 000013
【図１２】
2005277324.tif 000014